(57)【要約】      （修正有）【課題】被検体の皮膚障害を低減することができるＸ線画像診断装置を提供する。【解決手段】被検体の検査を行うための検査情報の入力の操作が可能な操作手段と、操作手段から入力された検査情報に基づいて、被検体にＸ線を照射するＸ線照射手段と、Ｘ線照射手段により照射され、被検体を透過したＸ線を検出するＸ線検出手段と、Ｘ線検出手段で検出されたＸ線に基づいてＸ線画像を生成する画像生成手段と、検査情報に基づいて、Ｘ線画像に対応する被検体の被曝情報を作成する被曝情報作成手段と、Ｘ線透視停止の操作、Ｘ線撮影の操作、又は検査終了の操作のうち少なくともいずれか１つの操作に応じて、Ｘ線画像と共に被曝情報を表示する表示手段とを備えたことを特徴とする。【選択図】図１
2013078635.tif 000002
【特許請求の範囲】
【請求項１】
被検体の検査を行うための検査情報の入力の操作が可能な操作手段と、
前記操作手段から入力された検査情報に基づいて、前記被検体にＸ線を照射するＸ線照
射手段と、
前記Ｘ線照射手段により照射され、前記被検体を透過したＸ線を検出するＸ線検出手段
と、
前記Ｘ線検出手段で検出されたＸ線に基づいてＸ線画像を生成する画像生成手段と、
前記検査情報に基づいて、前記Ｘ線画像に対応する前記被検体の被曝情報を作成する被
曝情報作成手段と、
Ｘ線透視停止の操作、Ｘ線撮影の操作、又は検査終了の操作のうち少なくともいずれか
１つの操作に応じて、前記Ｘ線画像と共に前記被曝情報を表示する表示手段と、
を備えるＸ線画像診断装置。
【請求項２】
前記表示手段は、前記被曝情報である領域データを、Ｘ線照射が終了する直前に得られ
る静止画であるＸ線画像上に重畳表示する請求項１記載のＸ線画像診断装置。
【請求項３】
前記表示手段は、前記被曝情報である領域データを、前記被検体のモデル上に重畳表示
する請求項１記載のＸ線画像診断装置。
【請求項４】
前記被曝情報作成手段は、算出した積算皮膚線量の予め設定された警告線量に対する割
合を表すゲージデータを作成し、
前記表示手段は、前記Ｘ線画像の近傍に前記被曝情報作成手段により作成されたゲージ
データを表示する請求項１乃至３いずれか一項に記載のＸ線画像診断装置。
【請求項５】
前記被曝情報作成手段は、前記積算皮膚線量が予め設定された警告線量以上となる照射
領域を表す警告領域データを作成し、
前記表示手段は、前記Ｘ線画像上に前記警告領域データを重畳して表示する請求項１乃
至４いずれか一項に記載のＸ線画像診断装置。
【請求項６】
前記被曝情報作成手段は、前記被検体の検査を開始してから前記被検体に照射されるＸ
線の照射領域又はＸ線量の変更を含む検査情報の変更操作に応じて、その検査情報の変更
以降のＸ線の照射により予測される前記被検体の被曝情報を作成する請求項１乃至５いず
れか一項に記載のＸ線画像診断装置。
【請求項７】
前記操作手段は、前記Ｘ線画像上の関心領域を指定し、
前記被曝情報作成手段は、前記検査情報の変更に応じて変更された透視用Ｘ線の照射時
間と、前記被検体の検査を開始してから前記関心領域に対応する前記被検体の照射領域に
照射される累計のＸ線量から算出した積算皮膚線量との関係を表すグラフを作成し、
前記表示手段は、前記グラフをポップアップ表示、又は前記Ｘ線画像上に重畳表示する
請求項６に記載のＸ線画像診断装置。
【発明の詳細な説明】
【技術分野】
【０００１】
本発明は、Ｘ線画像診断装置に係り、特にＸ線を照射する被検体の被曝情報を出力する
Ｘ線画像診断装置に関する。
【背景技術】
【０００２】
Ｘ線画像診断装置は、近年ではカテーテルを用いた血管造影検査やＩＶＲ（Ｉｎｔｅｒ
ｖｅｎｔｉｏｎａｌ  Ｒａｄｉｏｌｏｇｙ）の発展に伴い、循環器分野を中心に進歩を遂
げている。このＸ線画像診断装置は、心血管系をはじめ、全身の動静脈を対象としており
、血管内に造影剤を注入した状態でＸ線の透視や撮影を行い、表示部に表示された血管の
画像データを読影して診断や治療が行われる。
【０００３】
しかしながら、例えばＩＶＲによる検査では、被検体に対して長時間に亘ってＸ線の透
視が行われるため、過剰な放射線被曝により火傷等の皮膚障害の問題が発生する。この問
題を解決するために、被検体の皮膚線量を求め、求めた皮膚線量が予め設定した値に達し
たとき、Ｘ線を照射するＸ線管及びこのＸ線管からのＸ線を検出するＸ線検出器を支持し
ているアームを駆動してＸ線の照射方向を逆にし、被検体の皮膚線量が過大になるのを防
ぐことができるＸ線画像診断装置が知られている（例えば、特許文献１参照。）。
【先行技術文献】
【特許文献】
【０００４】
【特許文献１】特開２００７−８９９２３号公報
【発明の概要】
【発明が解決しようとする課題】
【０００５】
しかしながら、皮膚線量が予め設定された値に達したときに検査を中断してアームを駆
動する必要があるため、検査を中断できないような場合には、過剰な被曝により皮膚障害
を回避することができない問題がある。
【０００６】
本発明は、上記問題点を解決するためになされたもので、被検体の皮膚障害を低減する
ことができるＸ線画像診断装置を提供することを目的とする。
【課題を解決するための手段】
【０００７】
上記問題を解決するために、本発明のＸ線画像診断装置は、被検体の検査を行うための
検査情報の入力の操作が可能な操作手段と、前記操作手段から入力された検査情報に基づ
いて、前記被検体にＸ線を照射するＸ線照射手段と、前記Ｘ線照射手段により照射され、
前記被検体を透過したＸ線を検出するＸ線検出手段と、前記Ｘ線検出手段で検出されたＸ
線に基づいてＸ線画像を生成する画像生成手段と、前記検査情報に基づいて、前記Ｘ線画
像に対応する前記被検体の被曝情報を作成する被曝情報作成手段と、Ｘ線透視停止の操作
、Ｘ線撮影の操作、又は検査終了の操作のうち少なくともいずれか１つの操作に応じて、
前記Ｘ線画像と共に前記被曝情報を表示する表示手段とを備えたことを特徴とする。
【図面の簡単な説明】
【０００８】
【図１】本発明の実施例に係るＸ線画像診断装置の構成を示すブロック図。
【図２】本発明の実施例に係るＸ線画像診断装置の動作を示すフローチャート。
【図３】本発明の実施例に係る第１のモニタの画面に表示された第１の合成データの一例を示す図。
【図４】本発明の実施例に係る第１の合成データに含まれるゲージデータの他の例を示す図。
【図５】本発明の実施例に係る第２のモニタの画面に表示された領域データを含む第２の合成データの一例を示す図。
【図６】本発明の実施例に係る第２のモニタの画面に表示される領域データを含む第２の合成データの他の例を示す図。
【図７】本発明の実施例に係る第２のモニタの画面に表示された領域データ３Ｄモデルの一例を示す図。
【図８】本発明の実施例に係る第２のモニタの画面に表示された最大領域データ及び透視グラフを含む第２の合成データの一例を示す図。
【図９】図８に示した透視グラフの詳細を示す図。
【図１０】本発明の実施例に係る第２のモニタの第４の表示エリアに表示される撮影グラフの詳細を示す図。
【図１１】本発明の実施例に係る第２のモニタの画面に表示された警告領域データを含む第２の合成データの一例を示す図。
【発明を実施するための形態】
【０００９】
本発明の実施例を説明する。
【実施例】
【００１０】
以下、本発明によるＸ線画像診断装置の実施例を、図１乃至図１１を参照して説明する
。
【００１１】
図１は、本発明の実施例に係るＸ線画像診断装置の構成を示したブロック図である。こ
のＸ線画像診断装置１００は、天板７上に載置された被検体ＰにＸ線を照射するＸ線照射
部１０と、Ｘ線照射部１０のＸ線照射に必要な高電圧を発生する高電圧発生部２０と、Ｘ
線照射部１０のＸ線照射により、被検体Ｐを透過したＸ線を検出してＸ線投影データを生
成するＸ線検出部３０とを備えている。
【００１２】
また、Ｘ線画像診断装置１００は、Ｘ線照射部１０及びこのＸ線照射部１０に対向して
配置されるＸ線検出部３０を保持するアーム８と、天板７及びアーム８を移動する機構部
４０と、Ｘ線検出部３０で生成されたＸ線投影データを処理して画像データの生成を行な
う画像データ生成部５０と、Ｘ線照射部１０から照射されるＸ線の情報に基づいて被検体
Ｐの被曝情報を作成する被曝情報作成部６０とを備えている。
【００１３】
更に、Ｘ線画像診断装置１００は、画像データ生成部５０で生成された画像データや被
曝情報作成部６０で作成された被曝情報を表示する表示部７０と、被検体Ｐを識別する氏
名、身長、及び体重を含む被検体情報、撮影部位、透視条件、撮影条件等の被検体Ｐの検
査を行うための検査情報の入力等を行う操作部８０と、上述したこれらのユニットを統括
して制御するシステム制御部９０とを備えている。
【００１４】
Ｘ線照射部１０は、Ｘ線を発生するＸ線管１１と、Ｘ線管１１と被検体Ｐの間に配置さ
れ、被検体Ｐに照射するＸ線の範囲を制限するＸ線絞り器１２とを備えている。そして、
Ｘ線管１１は、システム制御部９０から供給される透視条件に基づいて高電圧発生部２０
から供給される高電圧により透視用のＸ線を発生する。また、撮影条件に基づいて高電圧
発生部２０から供給される高電圧により、１フレームの画像データを生成するための１シ
ョットのＸ線や、複数パルスの高電圧により、撮影照射時間にフレームレートを乗じたフ
レーム数の画像データを生成するためのＸ線を発生する。
【００１５】
また、Ｘ線絞り器１２は、システム制御部９０から供給される透視条件や撮影条件に含
まれる照射野の情報に基づいて、被検体Ｐに照射するＸ線管１１からの透視用や撮影用の
Ｘ線の範囲を制限する。
【００１６】
高電圧発生部２０は、システム制御部９０から供給される透視条件に含まれる管電圧、
管電流等の透視照射条件や、撮影条件に含まれる管電圧、管電流、フレームレート、Ｘ線
照射時間等の撮影照射条件の情報に基づいて、Ｘ線照射部１０のＸ線管１１に透視用のＸ
線及び撮影用のＸ線を発生させるための高電圧をＸ線管１１に供給する。
【００１７】
Ｘ線検出部３０は、Ｘ線照射部１０のＸ線絞り器１２から照射され、被検体Ｐを透過し
たＸ線を検出するＸ線検出器３１と、Ｘ線検出器３１からの信号を処理してＸ線投影デー
タを生成する信号処理部３２とを備えている。
【００１８】
Ｘ線検出器３１は、例えば入射したＸ線を電荷に変換する検出素子、この検出素子に読
み出し用の駆動パルスを供給するゲートドライバ、検出素子に蓄積された電荷を電圧に変
換するアンプ、アンプから出力された信号を選択するマルチプレクサ、及びマルチプレク
サからのアナログ信号をデジタル信号に変換するＡ／Ｄコンバータ等を備えている。また
、Ｘ線照射部１０のＸ線管１１に対して位置を前後に移動可能な移動機構を備え、Ｘ線管
１１との距離（ＳＩＤ）を調整できるようになっている。また、被検体Ｐを透過したＸ線
を入射するＸ線検出面を有し、このＸ線検出面におけるＸ線の入力視野サイズ（ＦＯＶ）
を調整できるようになっている。
【００１９】
なお、被検体Ｐを透過したＸ線を検出して光に変換するイメージインテンファイアと、
このイメージインテンシファイアからの光を撮影して電気信号に変換するテレビカメラ、
及びこのテレビカメラからの電気信号をデジタル信号に変換するＡ／Ｄ変換器を用いてＸ
線投影データを生成するように実施してもよい。
【００２０】
機構部４０は、被検体Ｐが載置された天板７を長手方向、幅方向、及び上下方向へ移動
する天板移動機構４１と、アーム８を被検体Ｐの周囲に回動するアーム回動機構４２と、
天板移動機構４１及びアーム回動機構４２を制御する機構制御部４３とを備えている。
【００２１】
天板移動機構４１は、被検体Ｐが載置された天板７を、被検体Ｐの撮影部位のＸ線透視
やＸ線撮影が可能な撮影位置へ移動する。また、アーム移動機構４２は、天板７上におけ
る被検体Ｐの撮影部位のＸ線透視やＸ線撮影が可能な角度にアーム８を回動する。
【００２２】
画像データ生成部５０は、Ｘ線検出部３０の信号処理部３２で生成されたＸ線投影デー
タを処理して透視画像データや撮影画像データ等の画像データを生成し、生成した画像デ
ータを保存すると共に表示部７０に出力する。
【００２３】
被曝情報作成部６０は、システム制御部９０から供給される被検体情報、透視照射条件
、Ｘ線透視の時間、撮影照射条件及び撮影操作回数、照射野、天板７の位置、アーム８の
角度、撮影部位、ＳＩＤ等の検査情報に基づいて、画像データ生成部５０で生成された画
像データに対応する被検体Ｐの被曝情報を作成し、作成した被曝情報を表示部７０に出力
する。
【００２４】
そして、操作部８０からの検査開始の操作が行われた後のＸ線透視開始の操作、Ｘ線透
視停止の操作、Ｘ線撮影の操作、及び検査終了の操作に応じて被曝情報を作成する。また
、被検体Ｐに照射するＸ線の照射領域や照射線量の変更が伴う例えば天板７の位置、アー
ム８の角度、ＳＩＤ、ＦＯＶ、画像倍率、照射野、透視照射条件、撮影照射条件等の透視
条件や撮影条件の変更操作に応じて被曝情報を作成する。
【００２５】
ここで、検査開始の操作が行われてから、画像データ生成部５０による画像データの生
成までに被検体Ｐに照射された累計のＸ線量から、被検体Ｐに照射されたＸ線の照射領域
の内の積算した皮膚線量が最大となる最大領域の積算皮膚線量を算出する。次いで、例え
ば火傷等の皮膚障害を発症する危険性がある予め設定された警告線量に対する算出した積
算皮膚線量の割合を表すゲージデータを作成する。
【００２６】
また、Ｘ線透視停止の操作、Ｘ線撮影の操作、及び検査終了の操作に応じて、検査開始
の操作が行われてからその操作が行われるまでに被検体Ｐに照射されたＸ線の照射領域の
内、その操作が行われたときに画像データ生成部５０により生成される最後の画像データ
の領域に対応する照射領域を除いた照射領域を表す領域データを作成する。また、システ
ム制御部９０から供給される撮影部位の情報に基づいてその撮影部位を含む被検体Ｐをモ
デル化した回転可能な三次元の３Ｄモデル（又は二次元の２Ｄモデル）を作成すると共に
、被検体Ｐの検査を開始してからその操作が行われるまでに被検体Ｐに照射されたＸ線の
照射領域を３Ｄモデル（又は２Ｄモデル）の表面上に表すための３Ｄ領域データ（又は２
Ｄ領域データ）を作成した後、作成した３Ｄ領域データ（又は２Ｄ領域データ）を３Ｄモ
デル（又は２Ｄモデル）表面上に重畳した領域データ表示３Ｄモデル（又は領域データ２
Ｄモデル）を作成する。また、検査開始の操作が行われてからその操作が行われるまでに
被検体Ｐに照射されたＸ線の照射領域の内、その操作が行われたときの最後の画像データ
の領域に対応する照射領域の積算した皮膚線量が最大となる照射領域を表す最大領域デー
タを作成する。また、検査開始の操作が行われてからその操作が行われるまでに被検体Ｐ
に照射されたＸ線の照射領域の内、その操作が行われたときの最後の画像データの領域に
対応する照射領域の積算した皮膚線量が警告線量以上となる照射領域を表す警告領域デー
タを作成する。
【００２７】
更に、検査開始の操作が行われてから被検体Ｐに照射されるＸ線の照射領域又はＸ線量
の変更を含む検査情報の変更操作に応じて、その操作以降を予測する被検体Ｐの被曝情報
であるグラフを作成する。
【００２８】
ここで、検査情報の変更に応じて変更された透視用Ｘ線の照射時間と、前記検査情報の
変更に応じて変更された透視用Ｘ線の照射時間と、被検体Ｐの検査を開始してから操作部
８０から画像データ上に指定された関心領域に対応する被検体Ｐの照射領域に照射される
累計のＸ線量から算出した積算皮膚線量との関係を表す透視グラフを作成する。
【００２９】
また、検査情報の変更に応じて変更された撮影用Ｘ線による撮影回数と、被検体Ｐの検
査を開始してから操作部８０から画像データ上に指定され関心領域に対応する被検体Ｐの
照射領域に照射される累計のＸ線量から算出した積算皮膚線量との関係を表す撮影グラフ
を作成する。
【００３０】
表示部７０は、画像データ生成部５０で生成された画像データと被曝情報作成部６０で
作成された被曝情報を合成する合成部７１と、合成部７１で合成された画像データと被曝
情報の合成データを表示する第１のモニタ７２及びこの第１のモニタ７２に隣接された第
２のモニタ７３とを備えている。
【００３１】
合成部７１は、画像データ生成部５０で生成された画像データを第１のモニタ７２に出
力する。また、画像データ生成部５０で生成された画像データ及びこの画像データに対応
する被曝情報作成部６０で作成されたゲージデータを合成し、合成した第１の合成データ
を第１のモニタ７２に出力する。
【００３２】
また、合成部７１は、被曝情報作成部６０で作成された領域データ２Ｄモデルや領域デ
ータ３Ｄモデルを第２のモニタ７３に出力する。また、画像データ生成部５０で生成され
た画像データ及びこの画像データに対応する被曝情報作成部６０で作成された領域データ
、最大領域データ、警告領域データ、グラフ等の被曝情報を合成し、合成した第２の合成
データを第２のモニタ７３に出力する。
【００３３】
ここで、画像データ生成部５０で生成された画像データ及び被曝情報作成部６０で作成
された領域データを合成する。また、画像データ生成部５０で生成された画像データ及び
被曝情報作成部６０で作成された最大領域データを合成する。また、画像データ生成部５
０で生成された画像データ及びこの画像データ上に指定された関心領域に対応する被曝情
報作成部６０で作成されたグラフを合成する。また、画像データ生成部５０で生成された
画像データ、並びに被曝情報作成部６０で作成された最大領域データ及びこの最大領域デ
ータに対応するグラフを合成する。また、画像データ生成部５０で生成された画像データ
及び被曝情報作成部６０で作成された警告領域データを合成する。
【００３４】
第１のモニタ７２は主に画像データ生成部５０で生成された画像データを表示するため
に設けられ、合成部７１から出力された画像データや第１の合成データを表示する。また
、第２のモニタ７３は主に被曝情報作成部６０で作成された被曝情報を表示するために設
けられ、合成部７１から出力された第２の合成データ、領域データ２Ｄモデル、領域デー
タ３Ｄモデル等を表示する。
【００３５】
操作部８０は、キーボード、トラックボール、ジョイスティック、マウスなどの入力デ
バイスや表示パネル、更には、各種スイッチ等を備えたインターラクティブなインターフ
ェースであり、検査情報に含まれる透視条件や撮影条件を入力する操作、天板７やアーム
８を移動する操作、検査を開始させる検査開始の操作及び検査を終了させる検査終了の操
作、Ｘ線透視を開始させるＸ線透視開始の操作及びＸ線透視を停止させるＸ線透視停止の
操作、Ｘ線撮影を行うＸ線撮影の操作等を行う。
【００３６】
システム制御部９０は、ＣＰＵと記憶回路を備え、操作部８０から供給される入力情報
を一旦記憶した後、これらの入力情報に基づいてＸ線照射部１０、高電圧発生部２０、Ｘ
線検出部３０、機構部４０、画像データ生成部５０、被曝情報作成部６０、及び表示部７
０の各ユニットの制御やシステム全体の制御を行なう。
【００３７】
以下、図１乃至図１１を参照して、Ｘ線画像診断装置１００の動作の一例を説明する。
図２は、Ｘ線画像診断装置１００の動作を示すフローチャートである。図３は、第１のモ
ニタ７２の画面に表示された第１の合成データの一例を示す図である。図４は、第１の合
成データに含まれるゲージデータの他の例を示す図である。図５は、第２のモニタ７３の
画面に表示された領域データを含む第２の合成データの一例を示す図である。図６は、第
２のモニタ７３の画面に表示される領域データを含む第２の合成データの他の例を示す図
である。
【００３８】
また、図７は、第２のモニタ７３の画面に表示された領域データ３Ｄモデルの一例を示
す図である。図８は、第２のモニタ７３の画面に表示された最大領域データ及び透視グラ
フを含む第２の合成データの一例を示す図である。図９は、図８に示した透視グラフの詳
細を示す図である。図１０は、撮影グラフの詳細を示す図である。図１１は、第２のモニ
タ７３の画面に表示された警告領域データを含む第２の合成データの一例を示す図である
。
【００３９】
図２において、被検体Ｐの検査情報を入力して検査開始の操作が行われると、Ｘ線画像
診断装置１００は動作を開始する（ステップＳ１）。
【００４０】
天板７上に載置された被検体Ｐの撮影部位を撮影位置に移動する操作部８０が行われる
と、機構部４０の機構制御部４３の制御により、天板移動機構４１は天板７を移動し、ア
ーム回動機構４２はアーム８を回動する。そして、被検体Ｐの撮影部位を撮影位置に設定
する。
【００４１】
次いで、操作部８０から例えばＸ線透視開始の操作が行われると、システム制御部９０
は、Ｘ線照射部１０、高電圧発生部２０、Ｘ線検出部３０、機構部４０、画像データ生成
部５０、被曝情報作成部６０、及び表示部７０にＸ線透視を指示する。高電圧発生部２０
は、透視用の高電圧をＸ線照射部１０のＸ線管１１に供給する。Ｘ線管１１は、高電圧発
生部２０から供給される高電圧に応じて透視用のＸ線を発生する。Ｘ線絞り器１２は、シ
ステム制御部９０から供給される１回目の照射野の情報に基づいて制限したＸ線管１１か
らのＸ線を被検体Ｐに照射する。
【００４２】
Ｘ線検出部３０は、被検体Ｐを透過したＸ線を検出してＸ線投影データを生成し、生成
したＸ線投影データを画像データ生成部５０へ出力する。画像データ生成部５０は、Ｘ線
検出部３０から出力されたＸ線投影データを処理して透視画像データを生成し、生成した
透視画像データを表示部７０の合成部７１に出力する。
【００４３】
被曝情報作成部６０は、システム制御部９０から供給される被検体情報、透視条件、天
板７の位置、アーム８の角度、撮影部位、ＳＩＤ、Ｘ線透視開始の操作が行われてから被
検体Ｐに透視用のＸ線が照射されたＸ線透視時間の情報に基づいて、検査を開始してから
画像データ生成部５０による透視画像データの生成までに被検体Ｐに照射された累計のＸ
線量から、被検体Ｐに照射されたＸ線の照射領域の内の積算した皮膚線量が最大となる照
射領域の積算皮膚線量を算出する。次いで、予め設定された警告線量に対する算出した積
算皮膚線量の割合を表すゲージデータを作成し、作成したゲージデータを合成部７１に出
力する。
【００４４】
合成部７１は、画像データ生成部５０から出力された透視画像データ及びこの透視画像
データに対応する被曝情報作成部６０から出力されたゲージデータを合成し、合成した第
１の合成データを第１のモニタ７２に出力する。第１のモニタ７２は、合成部７１から出
力された第１の合成データをリアルタイムに表示する（ステップＳ２）。
【００４５】
図３は、第１のモニタ７２の画面に表示された第１の合成データの一例を示した図であ
る。この画面７２ａは合成部７１からの画像データや被曝情報を表示する第１の表示エリ
ア７２１及びこの第１の表示エリア７２１に隣接して配置された第２の表示エリア７２２
により構成され、第１及び第２の表示エリア７２１，７２２に第１の合成データ７２３が
表示されている。
【００４６】
第１の合成データ７２３は透視画像データ７２４及び例えばプログレスバーで表される
ゲージデータ７２５により構成される。そして、第１の表示エリア７２１に、透視画像デ
ータ７２４がリアルタイムに表示され、第２の表示エリア７２２にゲージデータ７２５が
リアルタイムに表示されている。
【００４７】
ゲージデータ７２５は、被検体Ｐに照射されたＸ線の照射領域の内の積算した皮膚線量
が最大となる照射領域における積算皮膚線量の警告線量に対する割合を、被検体Ｐの検査
を開始してからＸ線の照射が開始される前の積算皮膚線量を「０％」とし、警告線量に達
したときを例えば「１００％」として表している。そして、積算皮膚線量の増大に応じて
斜線部のバーの割合が矢印Ｌ１方向に延びるようになっている。
【００４８】
そして、ゲージデータ７２５を検査開始の操作が行われてから、検査終了の操作が行わ
れた後のゲージデータ７２５を削除する操作、又は次の検査開始の操作まで第２の表示エ
リア７２２に表示される。
【００４９】
なお、最大となる照射領域における積算皮膚線量及び警告線量の値を第２の表示エリア
７２２に表示するように実施してもよい。また、円グラフを用いて、図４に示すように、
「０％」、算出した積算皮膚線量の警告線量に対する割合、「１００％」を表示し、積算
皮膚線量の増大に応じて斜線部の角度の割合が矢印Ｒ１方向に増大するように実施しても
よい。
【００５０】
このように、第１のモニタ７２に透視画像データ７２４と共にゲージデータ７２５を表
示することができる。これにより、被検体Ｐに照射されたＸ線の照射領域の内、積算した
皮膚線量が最大となる照射領域の積算皮膚線量を容易にリアルタイムに把握することが可
能となり、皮膚障害の危険性を考慮して検査を行うことができる。
【００５１】
次に、操作部８０から例えば３回に亘る照射野を変更する操作が行われた後の第１のモ
ニタ７２の第２の表示エリア７２２に表示されたゲージデータ７２５の斜線部のバーが１
００％未満を示しているときに、Ｘ線透視停止の操作が行われると、画像データ生成部５
０はＸ線検出部３０から出力されたＸ線投影データを処理して、Ｘ線透視停止の操作が行
われたときの最後の透視画像データを生成し、生成した透視画像データを表示部７０の合
成部７１に出力する。
【００５２】
被曝情報作成部６０は、検査を開始してからＸ線透視停止の操作までに被検体Ｐに照射
されたＸ線の照射領域の内、その操作が行われたときに生成された最後の透視画像データ
の領域に対応する照射領域を除いた照射領域を表す領域データを作成し、作成した領域デ
ータを合成部７１に出力する。合成部７１は、画像データ生成部５０から出力された静止
した透視画像データ及びこの透視画像データに対応して被曝情報作成部６０から出力され
た領域データを合成し、合成した領域データを含む第２の合成データを第２のモニタ７３
に出力する。第２のモニタ７３は、合成部７１から出力された領域データを含む第２の合
成データを表示する（図２のステップＳ３）。
【００５３】
図５は、第２のモニタ７３の画面に表示された領域データを含む第２の合成データの一
例を示した図である。この画面７３ａは第３の表示エリア７３１及びこの第３の表示エリ
ア７３１に隣接して配置された第４の表示エリア７３２により構成され、第３の表示エリ
ア７３１に第２の合成データ７３３が表示されている。
【００５４】
第２の合成データ７３３は、静止した透視画像データ７３３１、及びこの透視画像デー
タ７３３１上に重畳して表示された識別可能に例えば色分けした３つの四角枠で包囲され
た領域データ７３３２乃至７３３４により構成される。なお、３つの領域データ７３３２
乃至７３３４で包囲する領域を、夫々識別可能なように透明度を有する色で色分けして表
示するようにしてもよい。
【００５５】
領域データ７３３２は、検査を開始してから１回目の照射野の情報に基づいて制限した
Ｘ線絞り器１２からのＸ線により照射された被検体Ｐの照射領域に対応している。また、
領域データ７３３３は、２回目の照射野の情報に基づいて制限したＸ線絞り器１２からの
Ｘ線により照射された被検体Ｐの照射領域に対応している。更に、領域データ７３３４は
、３回目の照射野の情報に基づいて制限したＸ線絞り器１２からのＸ線により照射された
被検体Ｐの照射領域に対応している。更にまた、透視画像データ７３３１は、４回目の照
射野の情報に基づいて制限したＸ線絞り器１２からのＸ線照射により生成された画像デー
タに対応している。
【００５６】
なお、第３の表示エリア７３１に第２の合成データ７３３を表示すると共に、第４の表
示エリア７３２に第１のモニタ７２の第２の表示エリア７２２に表示したゲージデータ７
２５を表示するようにしてもよい。
【００５７】
このように、操作部８０からのＸ線透視停止の操作に応じて、第２のモニタ７３に静止
した透視画像データ７３３１を表示させると共にこの透視画像データ７３３１上に領域デ
ータ７３３２乃至７３３４を表示することができる。これにより、被検体Ｐの検査中に照
射したＸ線の照射領域を容易に把握することができる。
【００５８】
なお、検査を開始してからＸ線透視停止の操作までに被検体Ｐに照射されたＸ線の照射
領域の内、その操作が行われたときの最後の透視画像データ７３３１の領域から外れ、且
つ第３の表示エリア７３１に含まれる領域に対応する照射領域がある場合、その照射領域
を表す領域データを作成する。そして、図６に示すように、作成した例えば領域データ７
３３５を第３の表示エリア７３１に表示することができる。
【００５９】
このように、第３の表示エリア７３１に含まれる透視画像データ７３３１の領域外の領
域データ７３３５を表示することができる。これにより、被検体Ｐの検査中に照射したＸ
線の照射領域を広範囲に亘って把握することができる。
【００６０】
ここで、操作部８０から例えば領域データ３Ｄモデルを表示させる操作が行われると、
被曝情報作成部６０は、システム制御部９０から供給される撮影部位の情報に基づいて、
その撮影部位を含む被検体Ｐをモデル化した回転可能な三次元の３Ｄモデルを作成すると
共に、被検体Ｐの検査を開始してからＸ線透視停止の操作が行われるまでに被検体Ｐに照
射されたＸ線の照射領域を、３Ｄモデルの表面上に表すための３Ｄ領域データを作成した
後、作成した３Ｄ領域データを３Ｄモデル表面上に重畳した領域データ３Ｄモデルを作成
する。そして、作成した領域データ３Ｄモデルを合成部７１に出力する。合成部７１は、
被曝情報作成部６０から出力された領域データ３Ｄモデルを第２のモニタ７３に出力する
。第２のモニタ７３は、合成部７１から出力された領域データ３Ｄモデルを表示する。
【００６１】
図７は、第２のモニタ７３の画面に表示された領域データ３Ｄモデルの一例を示した図
である。この画面７３ｃの第３の表示エリア７３１に領域データ３Ｄモデル７３４が表示
されている。
【００６２】
領域データ３Ｄモデル７３４は、システム制御部９０から供給される撮影部位の情報に
基づいて被曝情報作成部６０で作成された被検体Ｐの３Ｄモデル７３４１と、検査を開始
してからＸ線透視停止の操作までに被検体Ｐに照射されたＸ線の照射領域を３Ｄモデル７
３４１の表面上に表すための３Ｄ領域データ７３４２乃至７３４５により構成される。
【００６３】
３Ｄ領域データ７３４２は、例えば図５の画面７３ａに表示された透視画像データ７３
３１の領域に対応し、３Ｄ領域データ７３４３は領域データ７３３２の領域に対応してい
る。また、３Ｄ領域データ７３４４は領域データ７３３３の領域に対応し、３Ｄ領域デー
タ７３４５は領域データ７３３４の領域に対応している。
【００６４】
そして、操作部８０から回転操作が行われると、領域データ３Ｄモデル３Ｄ７３４は、
３Ｄモデル７３４１の体軸を回転軸として矢印Ｒ１方向に回転した所望の角度から表示さ
れる。
【００６５】
このように、第２のモニタ７３に領域データ３Ｄモデル７３４を表示することにより、
被検体Ｐの検査中に照射したＸ線の全ての照射領域を表示することができる。また、領域
データ３Ｄモデル７３４を回転させることにより、被検体Ｐに照射したＸ線の全ての照射
領域を様々な方向から観察することができる。
【００６６】
図２のステップＳ３の後に、操作部８０から例えば透視条件の変更操作を行った後、積
算皮膚線量が最大となる最大領域を表示させ、更にその最大領域を指定する関心領域指定
操作が行われると、被曝情報作成部６０は検査を開始してから透視画像データ７３３１の
生成までに被検体Ｐに照射された累計のＸ線量から、被検体Ｐに照射されたＸ線の照射領
域の内、透視画像データ７３３１の領域に対応する照射領域の積算した皮膚線量が最大と
なる照射領域を表す最大領域データ、及びこの最大領域データに対応するＸ線透視を予測
する透視グラフを作成する。そして、作成した最大領域データ及び透視グラフを合成部７
１に出力する。
【００６７】
合成部７１は、画像データ生成部５０から出力された透視画像データ７３３１、並びに
この透視画像データ７３３１に対応する被曝情報作成部６０から出力された最大領域デー
タ及び透視グラフを合成し、合成した最大領域データ及び透視グラフを含む第２の合成デ
ータを第２のモニタ７３に出力する。第２のモニタ７３は、合成部７１から出力された最
大領域データ及び透視グラフを含む第２の合成データを表示する（図２のステップＳ４）
。
【００６８】
図８は、第２のモニタ７３の画面に表示された最大領域データ及び透視グラフを含む第
２の合成データの一例を示した図である。この画面７３ｄの第３及び第４の表示エリア７
３１，７３２に第２の合成データ７３５が表示されている。
【００６９】
第２の合成データ７３５は、透視画像データ７３３１、この透視画像データ７３３１上
に重畳された識別可能に四角枠で包囲された最大領域データ７３５１、及び透視グラフ７
３６により構成される。そして、第３の表示エリア７３１に透視画像データ７３３１及び
最大領域データ７３５１が表示され、第４の表示エリア７３２に透視グラフ７３６が表示
されている。
【００７０】
最大領域データ７３５１に対応する領域は、図５に示した透視画像データ７３３１上に
表示された例えば３つの領域データ７３３２乃至７３３４の部分集合の領域である。
【００７１】
透視グラフ７３６は、最大領域データ７３５１に対応する照射領域における透視時間と
積算皮膚線量の関係を表している。
【００７２】
なお、透視画像データ７３３１上の関心領域へカーソルを移動する操作部８０からのマ
ウス操作により、その関心領域に対応する透視グラフを第３の表示エリア７３１に噴出し
表示することができる。また、透視画像データ７３３１上の関心領域へカーソルを移動し
た後、その関心領域をクリックする操作部８０からのマウス操作により、その関心領域に
対応する透視グラフを第３の表示エリア７３１にポップアップ表示することができる。更
に、透視画像データ７３３１上の複数の関心領域を指定することにより、第４の表示エリ
ア７３２にその複数の関心領域に対応する透視グラフを表示することができる。
【００７３】
このように、第２のモニタ７３に表示された透視画像データ７３３１上に最大領域デー
タ７３５１を表示することができる。これにより、被検体Ｐに照射したＸ線の照射領域の
内、透視画像データ７３３１の領域に対応する照射領域の積算皮膚線量が最大となる照射
領域を容易に把握することができる。
【００７４】
図９は、図８に示した透視グラフ７３６の詳細を示した図である。この透視グラフ７３
６は、横軸の方向をＸ線の照射時間とし、縦軸の方向を積算皮膚線量とする関係として表
されるグラフ７３６１と、このグラフ７３６１に外挿される７３６２乃至７３６５と、検
査開始の操作が行われてから、Ｘ線透視の停止操作が行われたときの時間を示す現在時間
線７３６６と、警告線量の位置を示す警告線量線７３６７とにより構成される。
【００７５】
グラフ７３６１は、検査開始の操作が行われてから現在時間線７３６６までの時間帯Ｔ
１に照射されたＸ線の照射時間と積算皮膚線量の関係を表している。
【００７６】
グラフ７３６２は、現在時間線７３６６以降に予め設定された高透視照射条件で透視用
のＸ線を照射したときに予測される照射時間と積算皮膚線量の関係を表している。
【００７７】
グラフ７３６３は、現在時間線７３６６以降にＸ線透視停止の操作を行う前の透視条件
でＸ線を照射したときに予測される照射時間と積算皮膚線量の関係を表している。
【００７８】
グラフ７３６４は、現在時間線７３６６以降に変更した後の透視条件でＸ線を照射した
ときに予測される照射時間と積算皮膚線量の関係を表している。
【００７９】
グラフ７３６５は、現在時間線７３６６以降に予め設定された低透視照射条件で透視用
のＸ線を照射したときに予測される照射時間と皮膚線量の関係を表している。
【００８０】
このように、操作部８０からの透視条件の変更操作により、第２のモニタ７３に表示さ
れた最大領域データ７３５１に対応する透視グラフ７３６を表示することができる。そし
て、グラフ７３６１を表示することにより、被検体Ｐに照射されたＸ線の照射領域の内、
最大領域データ７３５１に対応する照射領域の検査開始から透視画像データ７３３１の生
成までの積算皮膚線量を把握することができる。
【００８１】
また、グラフ７３６４を表示することにより、透視条件を変更した後の検査情報に基づ
いて、最大領域データ７３５１に対応する照射領域へ透視画像データ７３３１の生成後に
照射される透視用のＸ線の照射時間と積算皮膚線量の関係を予測することができる。更に
、各グラフ７３６２，７３６３，７３６５を表示することにより、予め設定された高透視
照射条件、変更する前の透視条件、予め設定された低透視照射条件の各検査情報に基づい
て、最大領域データ７３５１に対応する照射領域へ透視画像データ７３３１の生成後に照
射される透視用のＸ線の照射時間と積算皮膚線量の関係を予測することができる。
【００８２】
これにより、警告線量に達するまでの各照射時間を予測することができるため、透視画
像データ７３３１の生成以降に被検体Ｐに照射するＸ線の照射範囲や照射時間を考慮する
ことができる。
【００８３】
なお、ステップＳ３の後に操作部８０から例えば撮影条件の変更操作が行われると、被
曝情報作成部６０は最大領域データ７３５１及びこの最大領域データ７３５１に対応する
Ｘ線撮影を予測する撮影グラフを作成し、作成した最大領域データ７３５１及び撮影グラ
フを合成部７１に出力する。合成部７１は、画像データ生成部５０から出力された透視画
像データ７３３１、並びにこの透視画像データ７３３１に対応する被曝情報作成部６０か
ら出力された最大領域データ７３５１及び撮影グラフを合成し、合成した最大領域データ
７３５１及び撮影グラフを含む第２の合成データを第２のモニタ７３に出力する。第２の
モニタ７３は、合成部７１から出力された第２の合成データに含まれる撮影グラフを第４
の表示エリア７３２に表示する。
【００８４】
図１０は、第２のモニタ７３の第４の表示エリア７３２に表示される撮影グラフの詳細
を示した図である。この撮影グラフ７３７は、図９に示したグラフ７３６１、現在時間線
７３６６、及び警告線量線７３６７と、横軸の方向を撮影回数とし、縦軸の方向を積算皮
膚線量とする関係として表されるグラフ７３６１に外挿されるグラフ７３７１乃至７３７
４とにより構成される。
【００８５】
グラフ７３７１は、現在時間線７３６６以降に、予め設定された高撮影照射条件で撮影
用のＸ線を照射したときに予測される撮影回数と積算皮膚線量の関係を表している。
【００８６】
グラフ７３７２は、現在時間線７３６６以降に、Ｘ線透視の停止操作を行う前の撮影条
件でＸ線を照射したときに予測される撮影回数と積算皮膚線量の関係を表している。
【００８７】
グラフ７３７３は、現在時間線７３６６以降に、変更した後の撮影条件でＸ線を照射し
たときに予測される撮影回数と積算皮膚線量の関係を表している。
【００８８】
グラフ７３７４は、現在時間線７３６６以降に、予め設定された低撮影照射条件で撮影
用のＸ線を照射したときに予測される撮影回数と皮膚線量の関係を表している。
【００８９】
このように、操作部８０からの撮影条件の変更操作により、第２のモニタ７３に表示さ
れた最大領域データ７３５１に対応する撮影グラフ７３７を表示することができる。そし
て、グラフ７３７３を表示することにより、撮影条件を変更した後の検査情報に基づいて
、最大領域データ７３５１に対応する照射領域へ透視画像データ７３３１生成後に照射さ
れる撮影用Ｘ線による撮影回数と積算皮膚線量の関係を予測することができる。また、各
グラフ７３７１，７３７２，７３７４を表示することにより、予め設定された高撮影照射
条件、変更する前の撮影条件、予め設定された低撮影照射条件の各検査情報に基づいて、
最大領域データ７３５１に対応する照射領域へ透視画像データ７３３１生成後に照射され
る撮影用Ｘ線による撮影回数と積算皮膚線量の関係を予測することができる。
【００９０】
これにより、警告線量に達するまでの各撮影回数を予測することができるため、透視画
像データ７３３１の生成以降に被検体Ｐに照射するＸ線の照射範囲や被検体Ｐを撮影する
撮影回数を考慮することができる。
【００９１】
次に、第１のモニタ７２の第２の表示エリア７２２に表示されたゲージデータ７２５の
斜線部のバーが１００％以上を示しているとき、操作部８０からＸ線透視停止の操作が行
われた後に、警告線量データを表示させる操作が行われると、画像データ生成部５０は、
Ｘ線検出部３０から出力されたＸ線投影データを処理してＸ線透視停止の操作が行われた
ときの最後の透視画像データを生成し、生成した透視画像データを合成部７１に出力する
。
【００９２】
ここで、最後の透視画像データの領域に対応する照射領域に積算皮膚線量が警告線量以
上となる照射領域が含まれているとする。この場合、被曝情報作成部６０は、検査を開始
してから画像データ生成部５０による最後の透視画像データの生成までに被検体Ｐに照射
された累計のＸ線量から、被検体Ｐに照射されたＸ線の照射領域の内、画像データ生成部
５０で生成された最後の透視画像データの領域に対応する照射領域の積算した皮膚線量が
予め設定された警告線量以上となる照射領域を表す警告領域データを作成する。そして、
作成した警告領域データを合成部７１に出力する。合成部７１は、画像データ生成部５０
から出力された最後の静止した透視画像データ及びこの透視画像データに対応する被曝情
報作成部６０から出力された警告領域データを合成し、合成した警告領域データを含む第
２の合成データを第２のモニタ７３に出力する。第２のモニタ７３は、合成部７１から出
力された警告領域データを含む第２の合成データを表示する（図２のステップＳ５）。
【００９３】
図１１は、第２のモニタ７３の画面に表示された警告領域データを含む第２の合成デー
タの一例を示した図である。この画面７３ｅの第３の表示エリア７３１に第２の合成デー
タ７３８が表示されている。
【００９４】
第２の合成データ７３８は、静止した透視画像データ７３８１及びこの透視画像データ
７３８１上に重畳して表示された識別可能なように例えば四角枠で包囲された警告領域デ
ータ７３８２により構成される。そして、警告領域データ７３８２は、例えば図８に示し
た最大領域データ７３５１と同じ領域のデータである。
【００９５】
このように、第２のモニタ７３に静止した透視画像データ７３８１を表示すると共に、
警告領域データ７３８２を表示することにより、被検体Ｐに照射したＸ線の照射領域の内
の積算皮膚線量が警告線量以上となる照射領域を容易に把握することができる。これによ
り、皮膚障害の危険性の拡大を考慮して検査を行うことが可能となり、皮膚障害の低減を
図ることができる。
【００９６】
以上述べた本発明の実施例によれば、画像データ生成部５０で生成された画像データと
共に、この画像データに対応する被曝情報作成部６０で作成された被検体Ｐの検査中又は
検査終了後における被曝情報を表示することができる。
【００９７】
そして、第１のモニタ７２の第１の表示エリア７２１に透視画像データ７２４を表示す
ると共に、第２の表示エリア７２２にゲージデータ７２５を表示することにより、被検体
Ｐに照射されたＸ線の照射領域の内、積算した皮膚線量が最大となる照射領域の積算皮膚
線量を容易にリアルタイムに把握することができる。また、Ｘ線透視停止の操作に応じて
、第２のモニタ７３の第３の表示エリア７３１に静止した透視画像データ７３３１を表示
すると共に、この透視画像データ７３３１上に重畳して領域データ７３３２乃至７３３４
を表示することにより、被検体Ｐに照射したＸ線の照射領域を容易に把握することができ
る。また、第３の表示エリア７３１に含まれる透視画像データ７３３１の領域外の領域デ
ータ７３３５を表示することにより、被検体Ｐに照射したＸ線の照射領域を広範囲に亘っ
て把握することができる。また、第３の表示エリア７３１に領域データ３Ｄモデル７３４
を表示することにより、被検体Ｐの検査中に照射したＸ線の全ての照射領域を表示するこ
とができる。また、領域データ３Ｄモデル７３４を回転させることにより、被検体Ｐに照
射したＸ線の全ての照射領域を様々な方向から見ることができる。また、第３の表示エリ
ア７３１に表示された透視画像データ７３３１上に重畳して最大領域データ７３５１を表
示することにより、被検体Ｐの照射領域の内、透視画像データ７３３１の領域に対応する
照射領域の積算皮膚線量が最大となる領域を容易に把握することができる。また、第２の
モニタ７３に静止した透視画像データ７３８１上に重畳して警告領域データ７３８２を表
示することにより、被検体Ｐに照射したＸ線の照射領域の内の積算皮膚線量が警告線量以
上となる照射領域を容易に把握することができる。また、透視条件の変更操作により、第
３の表示エリア７３１に表示された透視画像データ７３３１上の関心領域に対応する透視
グラフを表示することにより、透視条件を変更した後の検査情報に基づいて照射される透
視用のＸ線の照射時間と積算皮膚線量の関係を表すことが可能となり、警告線量に達する
までの照射時間を予測することができる。
【００９８】
また、Ｘ線撮影の操作に応じて、表示部７０の第１のモニタ７２の第１の表示エリア７
２１にその撮影操作により生成された最後の撮影画像データを表示すると共に、第２の表
示エリア７２２にゲージデータを表示することができる。また、第２のモニタ７３の第３
の表示エリア７３１に最後の撮影画像データを表示すると共に、その撮影画像データ上に
重畳して領域データを表示することができる。また、第３の表示エリア７３１に含まれる
最後の撮影画像データの領域外の領域データを表示することができる。また、第３の表示
エリア７３１に表示された最後の撮影画像データ上に重畳して最大領域データを表示する
ことができる。また、第２のモニタ７３の最後の撮影画像データ上に重畳して警告領域デ
ータを表示することができる。また、撮影条件の変更操作により、第３の表示エリア７３
１に表示された最後の撮影画像データ上の関心領域に対応する撮影グラフを表示すること
により、撮影条件を変更した後の検査情報に基づいて照射される撮影用のＸ線による撮影
回数と積算皮膚線量の関係を表すことが可能となり、撮影条件を変更してから警告線量に
達するまでの撮影回数を容易に予測することができる。これにより、Ｘ線透視の場合と同
様の効果を得ることができる。
【００９９】
以上により、検査中に検査の状況にあわせて様々な被曝情報を出力することができる。
これにより、被検体Ｐの被曝情報を容易に把握でき、被検体Ｐの皮膚障害の危険性を考慮
して検査を行うことが可能となるため、皮膚障害の低減を図ることができる。
【符号の説明】
【０１００】
Ｐ  被検体
７  天板
８  アーム
１０  Ｘ線照射部
１１  Ｘ線管
１２  Ｘ線絞り器
２０  高電圧発生部
３０  Ｘ線検出部
３１  Ｘ線検出器
３２  信号処理部
４０  機構部
４１  天板移動機構
４２  アーム回動機構
４３  機構制御部
５０  画像データ生成部
６０  被曝情報作成部
７０  表示部
７１  合成部
７２  第１のモニタ
７３  第２のモニタ
８０  操作部
９０  システム制御部
【図１】
2013078635.tif 000003
【図２】
2013078635.tif 000004
【図３】
2013078635.tif 000005
【図４】
2013078635.tif 000006
【図５】
2013078635.tif 000007
【図６】
2013078635.tif 000008
【図７】
2013078635.tif 000009
【図８】
2013078635.tif 000010
【図９】
2013078635.tif 000011
【図１０】
2013078635.tif 000012
【図１１】
2013078635.tif 000013
【手続補正書】
【提出日】平成25年3月12日(2013.3.12)
【手続補正１】
【補正対象書類名】明細書
【補正対象項目名】０００７
【補正方法】変更
【補正の内容】
【０００７】
上記問題を解決するために、請求項１に記載の本発明のＸ線画像診断装置は、被検体の
検査を行うための検査情報の入力の操作が可能な操作手段と、前記操作手段から入力され
た検査情報に基づいて、前記被検体にＸ線を照射するＸ線照射手段と、前記Ｘ線照射手段
により照射され、前記被検体を透過したＸ線を検出するＸ線検出手段と、前記Ｘ線検出手
段で検出されたＸ線に基づいてＸ線画像を生成する画像生成手段と、前記検査情報に基づ
いて、前記Ｘ線画像に対応する前記被検体の被曝情報を、Ｘ線透視停止の操作、Ｘ線撮影
の操作、又は検査終了の操作のうち少なくともいずれか１つの操作に応じて作成する被曝
情報作成手段とを備えたことを特徴とする。
【手続補正２】
【補正対象書類名】特許請求の範囲
【補正対象項目名】全文
【補正方法】変更
【補正の内容】
【特許請求の範囲】
【請求項１】
被検体の検査を行うための検査情報の入力の操作が可能な操作手段と、
前記操作手段から入力された検査情報に基づいて、前記被検体にＸ線を照射するＸ線照
射手段と、
前記Ｘ線照射手段により照射され、前記被検体を透過したＸ線を検出するＸ線検出手段
と、
前記Ｘ線検出手段で検出されたＸ線に基づいてＸ線画像を生成する画像生成手段と、
前記検査情報に基づいて、前記Ｘ線画像に対応する前記被検体の被曝情報を、Ｘ線透視
停止の操作、Ｘ線撮影の操作、又は検査終了の操作のうち少なくともいずれか１つの操作
に応じて作成する被曝情報作成手段と、
を備えるＸ線画像診断装置。
【請求項２】
前記表示手段は、前記被曝情報である領域データを、Ｘ線照射が終了する直前に得られ
る静止画であるＸ線画像上に重畳表示する請求項１記載のＸ線画像診断装置。
【請求項３】
前記表示手段は、前記被曝情報である領域データを、前記被検体のモデル上に重畳表示
する請求項１記載のＸ線画像診断装置。
【請求項４】
前記被曝情報作成手段は、算出した積算皮膚線量の予め設定された警告線量に対する割
合を表すゲージデータを作成し、
前記表示手段は、前記Ｘ線画像の近傍に前記被曝情報作成手段により作成されたゲージ
データを表示する請求項１乃至３いずれか一項に記載のＸ線画像診断装置。
【請求項５】
前記被曝情報作成手段は、前記積算皮膚線量が予め設定された警告線量以上となる照射
領域を表す警告領域データを作成し、
前記表示手段は、前記Ｘ線画像上に前記警告領域データを重畳して表示する請求項１乃
至４いずれか一項に記載のＸ線画像診断装置。
【請求項６】
前記被曝情報作成手段は、前記被検体の検査を開始してから前記被検体に照射されるＸ
線の照射領域又はＸ線量の変更を含む検査情報の変更操作に応じて、その検査情報の変更
以降のＸ線の照射により予測される前記被検体の被曝情報を作成する請求項１乃至５いず
れか一項に記載のＸ線画像診断装置。
【請求項７】
前記操作手段は、前記Ｘ線画像上の関心領域を指定し、
前記被曝情報作成手段は、前記検査情報の変更に応じて変更された透視用Ｘ線の照射時
間と、前記被検体の検査を開始してから前記関心領域に対応する前記被検体の照射領域に
照射される累計のＸ線量から算出した積算皮膚線量との関係を表すグラフを作成し、
前記表示手段は、前記グラフをポップアップ表示、又は前記Ｘ線画像上に重畳表示する
請求項６に記載のＸ線画像診断装置。